(57)【要約】【課題】オペレータが客面ディスプレイに表示される画面を初期画面に戻すことを忘れても初期画面に自動的に戻る計量装置及び計量プログラムを提供する。【解決手段】計量装置は、情報を入出力する入出力部と、商品の重量を計量する計量部と、顧客に情報を提示する客面ディスプレイと、客面ディスプレイの初期画面へ戻る時間である待ち時間を格納する時間格納部と、時間を計測するタイマと、一取引の最終画面を客面ディスプレイに表示してから待ち時間が経過したと判定した場合、客面ディスプレイに一取引の開始を示す初期画面を表示する制御部と、を備える。【選択図】図６
2016003913.tif 000002
【特許請求の範囲】
【請求項１】
情報を入出力する入出力部と、
商品の重量を計量する計量部と、
顧客に一取引の情報を提示する客面ディスプレイと、
前記客面ディスプレイの初期画面へ戻る時間である待ち時間を格納する時間格納部と、
時間を計測するタイマと、
一取引の最終画面を前記客面ディスプレイに表示してから前記待ち時間が経過したと判定した場合、前記客面ディスプレイに一取引の開始を示す初期画面を表示する制御部と、
を備える計量装置。
【請求項２】
前記初期画面は、
前の取引の内容を表示しない請求項１記載の計量装置。
【請求項３】
前記制御部は、
前記待ち時間が、前記入出力部に表示される戻るボタンが押下されるまで前記初期画面に戻らない旨を示す場合、前記戻るボタンが押下されたと判定した場合に、前記初期画面を前記客面ディスプレイに表示させる請求項１記載の計量装置。
【請求項４】
情報を入出力する入出力部と、
商品の重量を計量する計量部と、
顧客に一取引の情報を提示する客面ディスプレイと、
前記客面ディスプレイの初期画面へ戻る時間である待ち時間を格納する時間格納部と、
時間を計測するタイマと、
を備える計量装置を、
一取引の最終画面を前記客面ディスプレイに表示してから前記待ち時間が経過したと判定した場合、前記客面ディスプレイに一取引の開始を示す初期画面を表示する初期画面復帰手段として機能させるための計量プログラム。
【請求項５】
前記初期画面は、
前の取引の内容を表示しない請求項４記載の計量プログラム。
【請求項６】
前記計量装置を、
前記待ち時間が、前記入出力部に表示される戻るボタンが押下されるまで前記初期画面に戻らない旨を示す場合、前記戻るボタンが押下されたと判定した場合に、前記初期画面を前記客面ディスプレイに表示させる手動初期画面表示手段としてさらに機能させるための請求項４記載の計量プログラム。
【発明の詳細な説明】
【技術分野】
【０００１】
本発明の実施形態は、計量装置及び計量プログラムに関する。
【背景技術】
【０００２】
商品を重量に応じて販売価格を決定して販売する、いわゆる量り売りの現場において、計量装置が使用されることが多い。計量装置は、商品の重量を計量する計量部と、タッチパネルなどの情報を入出力する入出力部と、顧客に情報を提示する客面ディスプレイと、レシートを出力するプリンタと、を備える。
【０００３】
計量装置は、商品の登録後に入出力部の小計ボタンが押下されたと判定すると、販売価格の小計を計算し、預り金の入力を行い、その後、現計キーが押下されたと判定すると、つり銭表示画面を表示して一取引を終了する。
【０００４】
ここで、一取引が終了した状態では、客面ディスプレイにつり銭表示画面が表示されたままとなる。
【０００５】
オペレータは次の顧客が来る前に入出力部の戻るボタンを押下することにより、客面ディスプレイに初期画面を表示させるように教育されている。
【０００６】
しかし、オペレータは戻るボタンを押し忘れることがあり、この場合前の顧客に表示したつり銭画面が表示されたままとなっていて見栄えがよくなかった。
【先行技術文献】
【特許文献】
【０００７】
【特許文献１】特開２０１３−１０８８１７号公報
【発明の概要】
【発明が解決しようとする課題】
【０００８】
従って、オペレータが客面ディスプレイに表示される画面を初期画面に戻すことを忘れても初期画面に自動的に戻る計量装置及び計量プログラムが求められている。
【課題を解決するための手段】
【０００９】
上記の課題を解決するために、本発明の一実施形態は、情報を入出力する入出力部と、商品の重量を計量する計量部と、顧客に情報を提示する客面ディスプレイと、客面ディスプレイの初期画面へ戻る時間である待ち時間を格納する時間格納部と、時間を計測するタイマと、一取引の最終画面を客面ディスプレイに表示してから待ち時間が経過したと判定した場合、客面ディスプレイに一取引の開始を示す初期画面を表示する制御部と、を備える計量装置を提供する。
【図面の簡単な説明】
【００１０】
【図１】計量装置の正面外観斜視図である。
【図２】計量装置の背面外観斜視図である。
【図３】計量装置の構成を示すブロック図である。
【図４】商品マスタのデータ構成を示す図である。
【図５】時間格納部のデータ構成を示す図である。
【図６】計量装置の制御部による客面ディスプレイの表示初期化動作を示すフローチャートである。
【図７】登録画面の例を示す図である。
【図８】初期画面の例を示す図である。
【図９】小計画面の例を示す図である。
【図１０】客面小計画面の例を示す図である。
【図１１】つり銭画面の例を示す図である。
【図１２】客面つり銭画面の例を示す図である。
【発明を実施するための形態】
【００１１】
以下、計量装置及び計量プログラムの一実施形態について、図面を用いて詳細に説明する。
【００１２】
本実施形態の計量装置は、情報を入出力する入出力部と、商品の重量を計量する計量部と、顧客に情報を提示する客面ディスプレイと、客面ディスプレイの初期画面へ戻る時間である待ち時間を格納する時間格納部と、時間を計測するタイマと、一取引の最終画面を客面ディスプレイに表示してから待ち時間が経過したと判定した場合、客面ディスプレイに一取引の開始を示す初期画面を表示する制御部と、を備える。
【００１３】
図１は、計量装置１の正面外観斜視図である。図２は、計量装置１の背面外観斜視図である。図１及び図２に示すように、計量装置１は、本体部１０１と、計量部１０２と、入出力部１０３と、プリンタ１０４と、客面ディスプレイ１０５と、を備える。
【００１４】
入出力部１０３は、情報を入出力し、例えばタッチパネルを用いることができる。
【００１５】
計量部１０２は商品の重さを計量する。計量部１０２は、本体部１０１の上部に設けられる計量皿と、計量皿に載せられた商品の重さを電気信号に変換する変換部と、を備える。変換部の出力は制御部３０１に出力される。
【００１６】
プリンタ１０４は記録媒体に画像形成する。プリンタ１０４は、ラベルが貼付された台紙をロール状に巻いた記録媒体に画像形成し、画像形成後に台紙からラベルを剥離して排出する。
【００１７】
客面ディスプレイ１０５は、本体部１０１の背面に設けられ、情報を顧客に向けて表示する。
【００１８】
本体部１０１は制御部３０１を格納する。
【００１９】
図３は、計量装置１の構成を示すブロック図である。図３に示すように、計量装置１は、演算装置であるＣＰＵ（ｃｅｎｔｒａｌ  ｐｒｏｃｅｓｓｉｎｇ  ｕｎｉｔ）を含む制御部３０１と、メモリ、ハードディスクドライブなどの記憶装置を含み、情報を格納する記憶部３０２と、計量部１０２と、入出力部１０３と、プリンタ１０４と、客面ディスプレイ１０５と、通信を行う通信部３０５と、タイマ３０６と、を備える。
【００２０】
記憶部３０２は、商品に固有に割り当てられる商品コードごとに単価、及びその他の当該商品に関する情報を格納する商品マスタ３０２Ａと、客面ディスプレイ１０５の初期画面へ戻る時間を格納する時間格納部３０２Ｂと、を格納する。
【００２１】
記憶部３０２は計量プログラムを格納し、制御部３０１は記憶部３０２から計量プログラムを順次読み出して実行する。
【００２２】
通信部３０５は、通信回線を介してストアコントローラ、パソコンなどの外部機器と通信を行う。
【００２３】
タイマ３０６は時間を計測する。
【００２４】
図４は、商品マスタ３０２Ａのデータ構成を示す図である。図４に示すように、商品マスタ３０２Ａは、商品に固有に割り当てられる「商品コード」と、商品コードに１対１に割り当てられる「ＪＡＮコード」と、商品の名称である「商品名」と、「分類コード」と、商品の単位重量当たりの単価を示す「単価」と、商品に関する情報として例えば商品の産地を示す「産地」と、を格納する。
【００２５】
各データの例は、商品コードが「１００１２３」、ＪＡＮコードが「４５０１２３６５４」、商品名が「商品Ａ」、分類コードが「０００００１」、単価が「２００」、産地が「Ｘ県」である。
【００２６】
計量装置１はこれらのデータを、通信部３０５を介して接続した外部機器から更新されることが可能である。
【００２７】
例えば、計量装置１は通信部を介して接続されるストアコントローラから、商品ごとに分類コードを更新したり、単価を更新したりすることが可能である。
【００２８】
図５は、時間格納部３０２Ｂのデータ構成を示す図である。図５に示すように、時間格納部３０２Ｂは、客面ディスプレイの初期画面へ戻る時間を時間コードによって格納する。
【００２９】
時間コードは、例えば「１」が「５秒」、「２」が「１０秒」、「３」が「１５秒」、「０」が「戻るボタンが押下されるまで初期画面に戻らない」、をそれぞれ表すように計量プログラム内に設定できる。
【００３０】
図６は、計量装置１の制御部３０１による客面ディスプレイの表示初期化動作を示すフローチャートである。図６に示すように、ステップ６０１において、制御部３０１は入出力部１０３に一取引の開始を示す登録画面７０１を表示するとともに、客面ディスプレイ１０５に一取引の開始を示す初期画面８０１を表示する。
【００３１】
ステップ６０２において、制御部３０１は商品を登録する。具体的には、制御部３０１は入出力部１０３から商品コードを入力し、商品コードに基づいて商品マスタ３０２Ａを検索して単価を読み出す。制御部３０１は、計量部１０２によって計量した重量と、単価に基づいて販売価格を算出し、登録画面７０１の詳細欄７０６に表示する。制御部３０１は、登録ボタン７０３が押下されたと判定した場合、商品コード、単価、重量、及び販売価格を記憶部３０２が格納するトランザクションファイルに出力する。
【００３２】
ステップ６０３において、制御部３０１は入出力部１０３に表示された登録画面７０１の小計キー７０４が押下されたかを判定する。制御部３０１は、小計キー７０４が押下されたと判定した場合（ステップ６０３のＹ）、ステップ６０４に進み、小計キー７０４が押下されないと判定した場合（ステップ６０３のＮ）、ステップ６０１に戻る。
【００３３】
ステップ６０４において、制御部３０１は入出力部１０３に小計画面９０１を表示するとともに、客面ディスプレイ１０５に客面小計画面１００１を表示する。
【００３４】
ステップ６０５において、制御部３０１は入出力部１０３から預り金を入力する。
【００３５】
ステップ６０６において、制御部３０１は小計画面９０１の現計キー９０４が押下されたかを判定する。制御部３０１は現計キー９０４が押下されたと判定した場合（ステップ６０６のＹ）、ステップ６０７に進み、押下されないと判定した場合（ステップ６０６のＮ）、ステップ６０６に戻る。
【００３６】
ステップ６０７において、制御部３０１は入出力部１０３に一取引の最終画面であるつり銭画面１１０１を表示するとともに、客面ディスプレイ１０５に一取引の最終画面である客面つり銭画面１２０１を表示する。
【００３７】
ステップ６０８において、制御部３０１はプリンタ１０４によってレシートを印字する。
【００３８】
ステップ６０９において、制御部３０１はタイマ３０６をスタートさせて時間計測を開始する。
【００３９】
ステップ６１０において、制御部３０１は待ち時間を読み込む。具体的には、制御部３０１は記憶部３０２の時間格納部３０２Ｂから時間コードを読み込む。
【００４０】
ステップ６１１において、制御部３０１は待ち時間が「戻るボタンが押下されるまで初期画面に戻らない」旨を示す時間コードである「０」であるかを判定する。制御部３０１は、待ち時間が「０」である場合（ステップ６１１のＹ）、ステップ６１３に進み、待ち時間が「０」でない場合（ステップ６１１のＮ）、ステップ６１２に進む。
【００４１】
ステップ６１２において、制御部３０１はタイマ３０６を参照して読み込んだ時間コードに対応する待ち時間が経過したかを判定する。制御部３０１は、待ち時間が経過したと判定した場合（ステップ６１２のＹ）、ステップ６０１に戻り、待ち時間が経過していないと判定した場合（ステップ６１２のＮ）、ステップ６１２に戻る。
【００４２】
ステップ６１３において、制御部３０１は戻るボタン１１０２が押下されたかを判定する。制御部３０１は戻るボタン１１０２が押下されたと判定した場合（ステップ６１３のＹ）、ステップ６０１に戻り、押下されないと判定した場合（ステップ６１３のＮ）、ステップ６１３に戻る。
【００４３】
図７は、登録画面７０１の例を示す図である。図７に示すように、登録画面７０１は、風袋重量、商品の重量、単価販売価格である「お値段」、及びメッセージを含む詳細欄７０６と、商品の商品コードを入力する商品コードボタン７０７と、戻るボタン７０２と、登録ボタン７０３と、小計キー７０４と、登録のキャンセル指示する取消ボタン７０５と、を含む。
【００４４】
図８は、初期画面８０１の例を示す図である。図８に示すように、初期画面８０１は、風袋重量、商品の重量、単価販売価格である「お値段」、及びメッセージを含む客面詳細欄８０２を含む。
【００４５】
この一取引の開始を示す初期画面８０１は、風袋重量、商品の重量、単価販売価格である「お値段」については全て「０」を表示するか、あるいは風袋重量、商品の重量、単価販売価格である「お値段」の欄自体を表示しない。すなわち、初期画面８０１には前の取引に関する情報は表示されない。
【００４６】
また、初期画面８０１のメッセージには、例えば「いらっしゃいませ」などのメッセージが表示される。
【００４７】
図９は、小計画面９０１の例を示す図である。図９に示すように、小計画面９０１は、登録された商品の詳細を示す購入詳細欄９０５と、戻るボタン９０２と、取消ボタン９０３と、現計キー９０４と、を含む。
【００４８】
図１０は、客面小計画面１００１の例を示す図である。図１０に示すように、客面小計画面１００１は、登録された商品の詳細を示す客面購入詳細欄１００２を含む。
【００４９】
図１１は、つり銭画面１１０１の例を示す図である。図１１に示すように、つり銭画面１１０１は、購入された商品の詳細を示す購入商品欄１１０５と、戻るボタン１１０２と、取消ボタン１１０３と、現計キー１１０４と、を含む。
【００５０】
図１２は、客面つり銭画面１２０１の例を示す図である。図１２に示すように、客面つり銭画面１２０１は、合計金額、預かり、及びおつりを含む客面つり銭欄１２０２を含む。
【００５１】
以上述べたように、本実施形態の計量装置１は、情報を入出力する入出力部１０３と、商品の重量を計量する計量部１０２と、記録媒体に画像形成するプリンタ１０４と、顧客に情報を提示する客面ディスプレイ１０５と、商品に固有に割り当てられる商品コードごとに単価、及び当該商品に関する情報を格納する商品マスタ３０２Ａと、客面ディスプレイ１０５の初期画面へ戻る時間である待ち時間を格納する時間格納部３０２Ｂと、時間を計測するタイマ３０６と、一取引の最終画面である客面つり銭画面１２０１を客面ディスプレイ１０５に表示してから待ち時間が経過したと判定した場合、客面ディスプレイ１０５に一取引の開始を示す初期画面８０１を表示する制御部３０１と、を備える。
【００５２】
従って、オペレータが客面ディスプレイ１０５に表示される画面を初期画面８０１に戻すことを忘れても初期画面８０１に待ち時間経過後に自動的に戻り、見栄えがよくなるという効果がある。
【００５３】
いくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００５４】
１：計量装置１
１０２：計量部
１０３：入出力部
１０４：プリンタ
１０５：客面ディスプレイ
３０２Ａ：商品マスタ
３０２Ｂ：時間格納部
３０６：タイマ
【図１】
2016003913.tif 000003
【図２】
2016003913.tif 000004
【図３】
2016003913.tif 000005
【図４】
2016003913.tif 000006
【図５】
2016003913.tif 000007
【図６】
2016003913.tif 000008
【図７】
2016003913.tif 000009
【図８】
2016003913.tif 000010
【図９】
2016003913.tif 000011
【図１０】
2016003913.tif 000012
【図１１】
2016003913.tif 000013
【図１２】
2016003913.tif 000014